(57)【特許請求の範囲】
【請求項１】
回転してロープを巻き取るドラムと、前記ドラムの回転を制御する操作レバーとを備え、前記操作レバーがニュートラル状態で前記ドラムの回転が停止するウインチに取り付けられるウインチ用保護カバーであり、
底面部のみを有さない略立方体で前記ドラムを覆い、下端部で水平方向に延びる開閉軸を軸にして回転することで前記ドラムに対して開閉自在なドラムカバーと、
前記ドラムカバーの開閉に連動し、スリット部が形成され前記操作レバーの操作を制限可能なレバー制限手段と、を備え、
前記ドラムカバーが閉じた状態では前記レバー制限手段が前記操作レバーに干渉せず前記レバー制限手段による制限が解除され、前記操作レバーがニュートラル状態にのみ前記スリット部に前記操作レバーが挿入されて前記ドラムカバーが開き、かつ前記ドラムカバーが開いた状態では前記レバー制限手段によって前記操作レバーの操作が制限されるように、前記ドラムカバーと前記レバー制限手段とが配設されている、
ことを特徴とするウインチ用保護カバー。
【請求項２】
回転してロープを巻き取るドラムと、前記ドラムの回転を制御する操作レバーとを備え、前記操作レバーがニュートラル状態で前記ドラムの回転が停止するウインチであり、
底面部のみを有さない略立方体で前記ドラムを覆い、下端部で水平方向に延びる開閉軸を軸にして回転することで前記ドラムに対して開閉自在なドラムカバーと、
前記ドラムカバーの開閉に連動し、スリット部が形成され前記操作レバーの操作を制限可能なレバー制限手段と、を備え、
前記ドラムカバーが閉じた状態では前記レバー制限手段が前記操作レバーに干渉せず前記レバー制限手段による制限が解除され、前記操作レバーがニュートラル状態にのみ前記スリット部に前記操作レバーが挿入されて前記ドラムカバーが開き、かつ前記ドラムカバーが開いた状態では前記レバー制限手段によって前記操作レバーの操作が制限されるように、前記ドラムカバーと前記レバー制限手段とが配設されている、
ことを特徴とするウインチ。
【請求項３】
前記ドラムカバーが透明体または半透明体から構成されている、
ことを特徴とする請求項１に記載のウインチ用保護カバーまたは請求項２に記載のウインチ。
【発明の詳細な説明】
【技術分野】
【０００１】
この発明は、ウインチに取り付けられるウインチ用保護カバーおよび、保護カバーを備えるウインチに関する。
【背景技術】
【０００２】
従来、鉄塔工事や架線工事などにおいて、電線・送電線を延線、緊線したり工具類を上げ下げしたりする場合に、ウインチを使用している（例えば、特許文献１参照。）。例えば、電線を鉄塔間に架設する場合、電線の一端部にワイヤロープを接続し、地面に設置したウインチでワイヤロープを巻き取ることで、電線を牽引、架設している。
【先行技術文献】
【特許文献】
【０００３】
【特許文献１】特開２００４−２８２９８４号公報
【発明の概要】
【発明が解決しようとする課題】
【０００４】
ところで、ウインチを使用しての作業中に、ワイヤロープが絡まるなどの不具合が生じる場合がある。一方、ウインチのドラム（回転部）には、カバーが設けられていない。このため、ワイヤロープが絡まった場合などに、回転中のドラムに手を触れたり、誤操作などによりドラムに手を挟まれたりするおそれがある。また、ワイヤロープが絡まった場合などに、ドラムの回転を一旦止めてワイヤロープの絡まりなどを直せばよいが、作業効率などを優先させて、ドラムでワイヤロープを巻き取りながら絡まりなどを直すおそれがある。
【０００５】
そこでこの発明は、回転中のドラムへの接触を確実に防止することが可能なウインチ用保護カバーおよびウインチを提供することを目的とする。
【課題を解決するための手段】
【０００６】
上記課題を解決するために、請求項１に記載の発明は、回転してロープを巻き取るドラムと、前記ドラムの回転を制御する操作レバーとを備え、前記操作レバーがニュートラル状態で前記ドラムの回転が停止するウインチに取り付けられるウインチ用保護カバーであり、底面部のみを有さない略立方体で前記ドラムを覆い、下端部で水平方向に延びる開閉軸を軸にして回転することで前記ドラムに対して開閉自在なドラムカバーと、前記ドラムカバーの開閉に連動し、スリット部が形成され前記操作レバーの操作を制限可能なレバー制限手段と、を備え、前記ドラムカバーが閉じた状態では前記レバー制限手段が前記操作レバーに干渉せず前記レバー制限手段による制限が解除され、前記操作レバーがニュートラル状態にのみ前記スリット部に前記操作レバーが挿入されて前記ドラムカバーが開き、かつ前記ドラムカバーが開いた状態では前記レバー制限手段によって前記操作レバーの操作が制限されるように、前記ドラムカバーと前記レバー制限手段とが配設されている、ことを特徴とする。
【０００７】
請求項２に記載の発明は、回転してロープを巻き取るドラムと、前記ドラムの回転を制御する操作レバーとを備え、前記操作レバーがニュートラル状態で前記ドラムの回転が停止するウインチであり、底面部のみを有さない略立方体で前記ドラムを覆い、下端部で水平方向に延びる開閉軸を軸にして回転することで前記ドラムに対して開閉自在なドラムカバーと、前記ドラムカバーの開閉に連動し、スリット部が形成され前記操作レバーの操作を制限可能なレバー制限手段と、を備え、前記ドラムカバーが閉じた状態では前記レバー制限手段が前記操作レバーに干渉せず前記レバー制限手段による制限が解除され、前記操作レバーがニュートラル状態にのみ前記スリット部に前記操作レバーが挿入されて前記ドラムカバーが開き、かつ前記ドラムカバーが開いた状態では前記レバー制限手段によって前記操作レバーの操作が制限されるように、前記ドラムカバーと前記レバー制限手段とが配設されている、ことを特徴とする。
【０００８】
請求項１、２の発明によれば、ドラムカバーが閉じた状態では、レバー制限手段による制限が解除されて、操作レバーを自由に操作すること、つまりドラムを回転させることが可能となる。また、操作レバーがニュートラル状態、つまりドラムの回転が停止した状態でのみ、ドラムカバーが開き、かつレバー制限手段によって操作レバーの操作が制限されるため、ドラムが回転することがない。
【０００９】
請求項３に記載の発明は、請求項１または２に記載のウインチ用保護カバーまたはウインチにおいて、前記ドラムカバーが透明体または半透明体から構成されている、ことを特徴とする。
【発明の効果】
【００１０】
請求項１および２に記載の発明によれば、ドラムの回転を停止させなければ、ドラムカバーが開らかないため、ドラムの回転中にドラムカバーを開けてしまいドラムに接触する、ということを確実に防止することができる。また、ドラムカバーが開いた状態では、レバー制限手段によって操作レバーの操作が制限されるため、ドラムカバーを開けた状態でドラムを回転させてしまいドラムに接触する、ということを確実に防止することができる。
【００１１】
請求項３に記載の発明によれば、ドラムカバーが透明体または半透明体から構成されているため、ドラムカバーを閉じた状態、つまりドラムの回転中でも、ドラムやロープの状態を目視確認することができる。このため、ロープの絡まりなどを早期に発見し、迅速かつ適正な対応をとることが可能となる。
【図面の簡単な説明】
【００１２】
【図１】この発明の実施の形態に係るウインチ用保護カバーを閉じた状態のウインチの平面図（ａ）と、正面図（ｂ）と、右側面図（ｃ）である。
【図２】この発明の実施の形態に係るウインチ用保護カバーを開いた状態のウインチの平面図（ａ）と、正面図（ｂ）と、右側面図（ｃ）である。
【図３】この発明の実施の形態に係るウインチの操作レバーの正面図および平面図（ａ）と、この操作レバーにレバー制限体が装着した状態を示す正面図および平面図（ｂ）である。
【図４】この発明の実施の形態に係る他のウインチ用保護カバーとウインチとを示す平面図（ａ）と、正面図（ｂ）である。
【図５】図４のウインチ用保護カバーを閉じた状態を示す正面図およびその一部平面図（ａ）と、ウインチ用保護カバーを開いた状態を示す正面図およびその一部平面図（ｂ）である。
【発明を実施するための形態】
【００１３】
以下、この発明を図示の実施の形態に基づいて説明する。
【００１４】
図１、２は、この発明の実施の形態に係るウインチ用保護カバー１を備えたウインチ１０を示す図である。このウインチ１０は、鉄塔工事や架線工事などにおいて、電線・送電線を架設したり工具類を上げ下げしたりする場合に使用される巻き揚げ機で、駆動源としてのエンジン１２と、回転してワイヤロープ（ロープ）１３を巻き取るドラム１４と、ドラム１４の回転を制御する操作レバー１５とを備えている。
【００１５】
ドラム１４には、予めワイヤロープ１３が複数回巻かれ、正転することでワイヤロープ１３を巻き取り、逆転することでワイヤロープ１３を巻き出す（巻き戻す）ようになっている。このような巻き取り、巻き出しなどは、棒状の操作レバー１５の操作によって制御される。例えば、図３（ａ）に示すように、操作レバー１５を「Ｂ」の位置に操作するとドラム１４が正転し、操作レバー１５を「Ｆ」の位置に操作するとドラム１４が逆転し、操作レバー１５をニュートラル「Ｎ」の位置に操作するとドラム１４の回転が停止するようになっている。
【００１６】
このような構成は、一般に広く市販、使用されているウインチと同等の構成であり、このような一般的なウインチにウインチ用保護カバー１が取り付けられて、ウインチ１０が構成されている。このウインチ用保護カバー１は、主として、ドラムカバー２とレバー制限体（レバー制限手段）３とを備えている。
【００１７】
ドラムカバー２は、後述するように開閉自在で、閉じた状態で図１に示すように、底面部のみを有さない略立方体で、両側面部２１に、ワイヤロープ１３を貫通させるための切り欠き窓２１ａが形成され、この切り欠き窓２１ａの周縁から水平方向に延びるロープカバー２２が形成されている。また、ドラムカバー２の正面部２３は、ドラム１４の下端部周辺まで延び、背面部２４は、ドラム１４の駆動軸部１４１の上端部周辺まで延びている。この背面部２４の下端部の両端側には、垂直下方に延びる棒状の取付脚４が、開閉軸４１を介して接続されている。
【００１８】
開閉軸４１は水平方向に延び、この開閉軸４１を軸にしてドラムカバー２が回転・回動し、ドラム１４に対して開閉自在となっている。すなわち、ドラムカバー２が閉じた状態では、図１に示すように、ドラムカバー２によってドラム１４の上部と正面部と両側部の一部が覆われるとともに、ドラム１４から突出しているワイヤロープ１３の一部が、ロープカバー２２によって覆われる。また、ドラムカバー２が９０度開いた状態では、図２に示すように、ドラム１４の正面部と両側部とが完全に開放されるとともに、ドラム１４の上部が大きく開放され、ドラム１４やワイヤロープ１３に対する点検や作業が行えるようになる。
【００１９】
このようなドラムカバー２は、透明または半透明なアクリル板などの樹脂体で構成され、ドラムカバー２を閉じた状態でも、ドラム１４やワイヤロープ１３を目視確認できるようになっている。また、取付脚４の下端部は、ウインチ１０のベース１６に固定され、取付脚４をベース１６に固定することで、ウインチ用保護カバー１がウインチ１０に取り付けられるようになっている。
【００２０】
レバー制限体３は、ドラムカバー２の開閉に連動し、操作レバー１５の操作を制限可能な部材である。具体的には、図１（ｂ）に示すように、略Ｌ字形の平板状で、操作レバー１５側のロープカバー２２の上部に、その板面がドラムカバー２の正面部２３と平行になるように配設されている。また、図３（ｂ）に示すように、レバー制限体３の垂直部３ａには、自由端部（非ロープカバー２２側）から長孔状に切り欠かれたスリット部３ｂが形成され、これに隣接する一方の先端部が第１の先端部３ｃ、隣接する他方の先端部が第２の先端部３ｄとなっている。
【００２１】
そして、ドラムカバー２が閉じた状態では、図１（ｂ）に示すように、レバー制限体３の板面が垂直に位置し、レバー制限体３が操作レバー１５に干渉しない状態となる。また、操作レバー１５がニュートラル「Ｎ」に位置する場合にのみ、ドラムカバー２を開けられるようになっている。すなわち、ニュートラル「Ｎ」状態でドラムカバー２を回転・回動させると、この回転に連動してレバー制限体３が回転し、図３（ｂ）に示すように、スリット部３ｂに操作レバー１５が挿入されて、ドラムカバー２が９０度回転可能となる。また、この状態では、操作レバー１５がスリット部３ｂに挿入されているため、操作レバー１５の操作が不可能な状態となる。一方、操作レバー１５が「Ｂ」または「Ｆ」に位置する場合には、ドラムカバー２を回転・回動させて開けようとすると、操作レバー１５が第１の先端部３ｃまたは第２の先端部３ｄに当たり、ドラムカバー２が回転できないように、レバー制限体３が形成、配設されている。
【００２２】
このように、ドラムカバー２が閉じた状態では、レバー制限体３による操作レバー１５への操作制限が解除され、操作レバー１５を自由に操作可能、つまりドラム１４を回転させることが可能となる。また、操作レバー１５がニュートラル「Ｎ」状態にのみドラムカバー２が開き、かつドラムカバー２が開いた状態では、レバー制限体３によって操作レバー１５の操作・動き、つまりドラム１４の回転が制限される。
【００２３】
次に、このような構成のウインチ用保護カバー１およびウインチ１０の作用などについて説明する。
【００２４】
まず、ウインチ１０を使用して電線の架設や工具類の上げ下げなどを行う場合には、ドラムカバー２を閉じる。この状態では、上記のように操作レバー１５を自由に操作することが可能で、ドラム１４を正転させてワイヤロープ１３を巻き取ったり、ドラム１４を逆転させてワイヤロープ１３を巻き出したりする。このような操作・作業中には、操作レバー１５が「Ｂ」または「Ｆ」に位置するため、上記のようにドラムカバー２を開けることができない。
【００２５】
続いて、ドラム１４の回転中に、ドラムカバー２越しにドラム１４やワイヤロープ１３の状態を確認し、例えば、ワイヤロープ１３が絡まった場合には、操作レバー１５をニュートラル「Ｎ」状態にして、ドラム１４の回転を止める。次に、ドラムカバー２を開けて、ワイヤロープ１３の絡まりなどを直す。ここで、ドラムカバー２を開けた状態では、上記のように操作レバー１５を操作できず、ドラム１４は停止したままとなる。そして、ワイヤロープ１３の絡まりなどを直し終えた後に、再びドラムカバー２を閉じることで、操作レバー１５の操作が可能となり、作業を続行できるものである。
【００２６】
以上のように、このウインチ用保護カバー１およびウインチ１０によれば、ドラム１４の回転を停止させなければ、ドラムカバー２が開らかないため、ドラム１４の回転中にドラムカバー２を開けてしまいドラム１４に接触する、ということを確実に防止することができる。また、ドラムカバー２が開いた状態では、レバー制限体３によって操作レバー１５の操作ができなくなるため、ドラムカバー２を開けた状態でドラム１４を回転させてしまいドラム１４に接触する、ということを確実に防止することができる。このように、作業員の手や服などが、回転中のドラム１４に接触するのを確実に防止することができ、安全性を著しく確保することができる。
【００２７】
また、ドラムカバー２を閉じた状態でも、ドラム１４やワイヤロープ１３の状態を目視確認できるため、ワイヤロープ１３の絡まりなどを早期に発見し、迅速かつ適正な対応をとることが可能となる。さらに、既存、既製のウインチ１０にウインチ用保護カバー１を取り付けるだけで、既存、既製のウインチ１０に対して、ドラム１４への接触を確実に防止することが可能となる。
【００２８】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、ドラムカバー２が回動することで開閉自在となっているが、ウインチ１０の構造や大きさなどに応じて、ドラムカバー２が水平方向にスライドすることで、ドラム１４に対して開閉するようにしてもよい。
【００２９】
また、上記の実施の形態では、ドラム１４と操作レバー１５とをそれぞれひとつ備えているが、複数備えるウインチに対しても、本発明を適用することができる。例えば、図４に示すように、２つのドラム１４を備え、それぞれのドラム１４に操作レバー１５を備える場合、上記と同様なウインチ用保護カバー１を２つ配設する。これにより、各ドラム１４を別個にカバーして、かつ各操作レバー１５の操作を別個に制限、解除することができる。例えば、図４（ａ）の上側のドラム１４のようにドラムカバー２が閉じた状態では、図５（ａ）に示すように、レバー制限体３が操作レバー１５に干渉せず、操作レバー１５が操作可能となる。一方、図４（ａ）の下側のドラム１４のようにドラムカバー２が開いた状態では、図５（ｂ）に示すように、操作レバー１５にレバー制限体３が装着し、操作レバー１５の操作が不可能となる。ここで、図４（ｂ）は、ドラムカバー２が閉じた状態を示す正面図である。
【００３０】
また、上記の実施の形態では、ドラムカバー２とレバー制限体３とが別体となっているが、ドラムカバー２にレバー制限手段を一体的に設けてもよい。
【符号の説明】
【００３１】
１        ウインチ用保護カバー
１０      ウインチ
１３      ワイヤロープ（ロープ）
１４      ドラム
１５      操作レバー
２        ドラムカバー
３        レバー制限体（レバー制限手段）
３ｂ      スリット部
４        取付脚
４１      開閉軸
【図１】
0005366984.tif 000002
【図２】
0005366984.tif 000003
【図３】
0005366984.tif 000004
【図４】
0005366984.tif 000005
【図５】
0005366984.tif 000006